(57)【要約】      （修正有）【課題】寒冷時においてプレグラウトＰＣ鋼より線の被覆の除去及び樹脂のふき取りを容易にする技術を提供する。【解決手段】例えばプレストレストコンクリート床版の横締め用プレグラウトＰＣ鋼より線の外周にシリコンラバーヒータ２等の加熱手段を装着してバンド３で締付け、プレグラウトＰＣ鋼より線の被覆を加温し、一定温度に到達したとき被覆を引き抜き撤去し、ＰＣ鋼より線を露出させ、定着装置の取付を行う。【選択図】図１（ｂ）
2005240271.tif 000002
【特許請求の範囲】
【請求項１】
プレグラウトＰＣ鋼より線の外周に加熱手段を装着し、該プレグラウトＰＣ鋼より線の被覆を加温し、一定温度に到達したとき該被覆を引き抜き撤去することを特徴とするプレグラウトＰＣ鋼より線の被覆撤去方法。
【請求項２】
前記プレグラウトＰＣ鋼より線がプレストレストコンクリート床版の横締め用ＰＣ鋼より線であることを特徴とする請求項１記載のプレグラウトＰＣ鋼より線の被覆撤去方法。
【請求項３】
前記加熱手段は、プレグラウトＰＣ鋼より線の外周に被せるシリコンラバーヒータであることを特徴とする請求項１又は２記載のプレグラウトＰＣ鋼より線の被覆撤去方法。
【発明の詳細な説明】
【技術分野】
【０００１】
本発明は、寒冷時におけるプレグラウトＰＣ鋼より線の被覆撤去方法に関する。
【背景技術】
【０００２】
プレグラウトＰＣ鋼より線は通常、ＰＣ鋼より線を被覆する筒状の被覆内に未硬化の樹脂等のグラウト材料と共にＰＣ鋼より線を挿入しておき、これをコンクリート中に埋設し被覆をコンクリートに付着させると共に、被覆内の樹脂等が未硬化の内にＰＣ鋼より線を緊張し、その後樹脂等が経時的に硬化してＰＣ鋼より線をコンクリート内に固定するものである（例えば、非特許文献１参照。）。
【０００３】
例えば、図３はプレグラウトＰＣ鋼より線１０の一例を示すもので、図３（ａ）は側面図、図３（ｂ）はそのＡ−Ａ矢視断面図である。樹脂等を塗布したＰＣ鋼より線２０は筒状の被覆１５内に収納されている。被覆１５は、多数の大径リング１１と小径リング１２とを蛇腹状に連接した形状をしており、長手方向の補強１３を備えている。
【０００４】
筒状の被覆１５としては、高密度ポリエチレン等からなる被覆を施し、被覆１５の表面を凹凸形状に加工したものを用いる。樹脂としては、例えば、未硬化の熱硬化性エポキシ樹脂等を用いる。未硬化の樹脂は、環境条件や温度等により、所定の時間の経過後に硬化する特性を有している。この特性を生かし、現場における使用環境や条件に応じた適切な樹脂を選択することによって、樹脂は、緊張作業時までは未硬化の状態を維持し、その後硬化する。このことにより、現場でグラウト注入を行うことなく、部材コンクリートとＰＣ鋼より線とを一体化することができ、現場でのグラウト作業を不要にしたものである。
【０００５】
このようなプレグラウトＰＣ鋼より線は、現場でコンクリートを打設する橋梁のＰＣ床版の横締め用や横桁の緊張用等に適用される。
【０００６】
プレグラウトＰＣ鋼より線は、予め工場内でシース内にエポキシ樹脂等のグラウト材が充填されているため、現場でのグラウト作業が不要であると共に、プレグラウトＰＣ鋼材より線はエポキシ樹脂等が塗布され、更にポリエチレンシースで被覆されているため、優れた耐食性を有している。
【０００７】
プレグラウト材であるエポキシ樹脂等は硬化後ＰＣ鋼より線に密着し、またポリエチレンシースは表面にリング状の凹凸形状が形成されているため、コンクリートとの高い付着性を得ることができる。
【０００８】
なお、湿気によって硬化が促進される湿気硬化型樹脂も用いられており、そのような樹脂では硬化速度に対する温度の影響が小さいため、柱頭部などの内部温度上昇が大きいマスコンクリート部材に好適に使用することができる。１本のケーブル内に、温度履歴の大きな差が生じるような場合には、特に有効である。
【０００９】
プレグラウトＰＣ鋼材より線は使用時までの保管期間、保管場所の環境、打設から緊張までの期間、履歴温度、例えば直射日光にあたる場所、高温となる場所、雨水の直接かかる場所での保管などに制約がある。例えば、コンクリート打設までの保管期間は通常１ヶ月程度、コンクリート打設から緊張までの期間は通常２週間以内であり、また適用可能なコンクリート打設後の最高温度は９５℃以下としなければならない等の制約がある。
【００１０】
プレグラウトＰＣ鋼より線の被覆、例えばポリエチレンシースの使用温度範囲は、−７０℃〜３４０℃である。
【００１１】
プレグラウトＰＣ鋼より線の被覆撤去及び定着手順について図２を参照して説明する。図２（ａ）に示すように、コンクリート５０中に埋設されたプレグラウトＰＣ鋼より線１０の端部はコンクリート５０の外に突出している。コンクリート５０の端面には支圧板５１が設けられている。この突出部の被覆１５は、ＰＣ鋼より線を緊張定着するために、撤去する必要がある。被覆１５の支圧板５１と接する部分１６をカッタで切断する。
【００１２】
図２（ｂ）に示すように、被覆１５を矢印１７方向に牽引する。例えば被覆１５の外周に直径６ｍｍφ程度の細いワイヤロープを巻付け、レバーブロック等によってこのワイヤロープを牽引して被覆１５を引き抜く。被覆１５は抜け出して、ＰＣ鋼より線２０が露出する。この牽引は、牽引治具を用いて行っても、気温が低く樹脂の粘性が高いときは、引抜き作業が非常に困難である。
【００１３】
ＰＣ鋼より線２０の表面には、樹脂２１が付着している。図２（ｃ）に示すように、ＰＣ鋼より線２０の露出部の樹脂を人手４０により布４１を用いて清掃払拭する。
【００１４】
図２（ｄ）は、露出したＰＣ鋼より線２０に定着部のスリーブ３０とくさび３１を外嵌した状態を示している。
【００１５】
次に矢印４２で示すように、ＰＣ鋼より線２０を牽引して緊張力を付与し、スリーブ３０を定着板５１に当接させ、くさび３１をスリーブ３０内に進入させて、ＰＣ鋼より線２０を定着し、コンクリート５０にプレストレスを導入する。
【００１６】
次いで図２（ｅ）に示すように、ＰＣ鋼より線２０の突出部を、長さ２４だけ残して切断２３する。図２（ｆ）は最終処理完了を示すもので、スリーブ３０にキャップ３３を被せてＰＣ鋼より線２０の端部を保護する。
【００１７】
以上のように、例えば、プレストレストコンクリート橋の床版の横締めに使用するプレグラウトＰＣ鋼より線２０では、従来、カッターにて被覆１５を切断し人力もしくは手動の牽引装置等を使用して、被覆１５を撤去していた。ところが、冬場等の寒冷時には、プレグラウトＰＣ鋼より線１０内の樹脂の粘性が高くなり、被覆１５を撤去する作業や樹脂の払拭作業が困難であり、これらの作業に長時間を要していた。
【非特許文献１】プレストレスト・コンクリート建設業協会：「ＰＣグラウト＆プレグラウトＰＣ        鋼材」（１９９９年）ｐ９４〜９６
【発明の開示】
【発明が解決しようとする課題】
【００１８】
本発明は上記のように、寒冷時において、樹脂の粘性が高く、プレグラウトＰＣ鋼より線の被覆を除去することが困難であり、また、樹脂の払拭も容易でなかったのを解決する技術を提供することを目的とするものである。
【課題を解決するための手段】
【００１９】
本発明は、上記問題点を解決するためになされたもので、プレグラウトＰＣ鋼より線の外周に加熱手段を装着し、ＰＣ鋼より線の被覆を加温し、該被覆を引き抜き撤去することを特徴とするプレグラウトＰＣ鋼より線の被覆撤去方法である。
【００２０】
この技術の適用箇所として、プレグラウトＰＣ鋼より線をプレストレストコンクリート床版の横締め用ＰＣ鋼より線に適用すると好適である。
【００２１】
上記本発明方法を好適に実施することができる加熱手段としてプレグラウトＰＣ鋼より線の外周に被せるシリコンラバーヒータを用いると好適である。
【発明の効果】
【００２２】
本発明によれば、寒冷時において、プレグラウトＰＣ鋼より線の被覆撤去を一人で容易に実施することができるようになり、また、樹脂払拭作業も容易となり、所要時間も大幅に短縮された。
【発明を実施するための最良の形態】
【００２３】
以下図面を参照して本発明の実施の形態を説明する。
【００２４】
図１（ａ）〜図１（ｃ）は本発明の実施例のプレグラウトＰＣ鋼より線の被覆撤去方法を示す工程図である。図１（ａ）に示すように、コンクリート５０中に埋設されたＰＣ鋼より線１０のコンクリート５０から外部に突出している部分に、図１（ｂ）に示すように、加熱手段１を被せる。加熱手段１は、平板状のシリコンラバーヒータ２を用い、このラバーヒータ２をＰＣ鋼より線１０の外周に被せ、バンド３で固定する。バンド３としては着脱自在なテープからなるバンドを適宜間隔で配設すると好適である。他の結束手段、例えば粘着シート、スプリングファスナー、レースひも等を用いてもよい。
【００２５】
次にシリコンラバーヒータ２のリード線４を電源に接続して通電し加熱する。シリコンラバーヒータは１００Ｖ−１５０Ｗのものと１００Ｖ−６００Ｗの２種類を製作した。比較的外気温度が高いときは１００Ｖ−１５０Ｗのヒータでよく、真冬等の低温時には１００Ｖ−６００Ｗのヒータを用いるとよい。厳寒時でも１００Ｖ−６００Ｗのヒータを用いると、プレグラウトＰＣ鋼より線の被覆を８０℃まで容易に加温することができる。なお、厳寒時にはラバーヒータの外周に断熱材等を巻きつけて外周からの放熱を防止してもよい。加熱時間は、予め実験等によって、適切な時間を求めておくとよい。例えば２〜５分である。
【００２６】
被覆に被せたシリコンラバーヒータ２を使用し、被覆の上から加温した後、ＰＣ鋼より線１０の支圧板５１とが接する部分５で被覆の周囲を切断し、ラバーヒータ２とともに被覆を矢印６で示すように引張ると、被覆を容易に引き抜くことができる。また、加熱により粘度が低下した樹脂の払拭も非常に容易となる。
【００２７】
シリコンラバーヒーター２は、例えば、厚さ０．８ｍｍから１．６ｍｍの非常に薄い柔軟性のある面状ヒーターを用いる。シリコンラバーヒータ２は、耐熱性、耐候性、耐薬品性および耐久性に優れたシリコンゴムシートを絶縁シートとしている。シリコンラバーヒータ２の上下二枚の絶縁シートは、網状のグラスファイバーで補強された耐熱シリコンゴムシートとし、十分な機械的強度を有する。抵抗エレメントとしては、抵抗値に経時変化がなく長期間に亘って安定した出力（Ｗ）が得られるニッケル合金抵抗体、例えば、ニッケルクロム合金（８０／２０ＮｉＣｒ）のワイヤ、リボン又は箔を用いている。また、形状は穴をあけたり部分的に切欠くなど自由に成形することができ、複雑な加熱面にも対応できる。耐久性は、ヒーター作動温度２５０℃の連続使用において７０００時間、２１０℃以下では半永久的に使用てきる。発熱パターンは全面均一に分布させることも、局部的に熱の強弱を与えることもでき、また、ホットスポットのない加熱もできる。
【００２８】
シリコンラバーヒータ２は、プレグラウトＰＣ鋼より線１０の外周に被せやすくするため、筒状の丸味を付与するカール加工を施し、着脱自在なテープで、結束して、プレグラウトＰＣ鋼より線１０の外周に密着させる。通電後２〜５分程度でプレグラウトＰＣ鋼より線の被覆全体が暖まるので、被覆の引抜きは容易である。温度は温度計等により計測する。また、液膨バルブ、抵抗サーモメーター、パイメタル、サーモカッブル・サーミスター等の温度センサーを備えた液膨サーモスタット、ＰＩＤ調節器、ディスクサーモスタット、ＯＮ／ＯＦＦ電子調節器等の温度制御装置を用いて温度制御する。
【実施例】
【００２９】
図１（ａ）〜図１（ｃ）に示す本発明の工程により、コンクリート床版の横締め用のプレグラウトＰＣ鋼より線の被覆の引き抜き除去を行った。比較のために、加熱手段を用いない作業も行った。試験時の気候条件は、前日のコンクリート打設日の気温は最高１７℃、最低６℃であり、試験時の気温は、１４℃であった。ＰＣ鋼より線の径は１９ｍｍφとし、図４に示す特性を有する樹脂を封入したプレグラウトＰＣ鋼より線を用いた。図４は当該樹脂の特性として、経過日数と温度履歴との関係を示すもので、保存期間は４０℃以下で３０日以内、コンクリート打設後の最高温度は９５度以下、緊張時期は期間６２（１５日以下）を経過後、時点６３までの間（１５日以内）である。
【００３０】
作業工程の内容及び作業時間比較を表１〜表２に示した。所要時間は、Ｉ：比較例では４分０５秒を要していたが、ＩＩ：実施例では、平均１分３０秒であった。
【００３１】
【表１】
2005240271.tif 000003
【００３２】
【表２】
2005240271.tif 000004
【図面の簡単な説明】
【００３３】
【図１（ａ）】実施例の工程図である。
【図１（ｂ）】実施例の工程図である。
【図１（ｃ）】実施例の工程図である。
【図２（ａ）】プレグラウトＰＣ鋼より線の被覆除去及び定着工程の説明図である。
【図２（ｂ）】プレグラウトＰＣ鋼より線の被覆除去及び定着工程の説明図である。
【図２（ｃ）】プレグラウトＰＣ鋼より線の被覆除去及び定着工程の説明図である。
【図２（ｄ）】プレグラウトＰＣ鋼より線の被覆除去及び定着工程の説明図である。
【図２（ｅ）】プレグラウトＰＣ鋼より線の被覆除去及び定着工程の説明図である。
【図２（ｆ）】プレグラウトＰＣ鋼より線の被覆除去及び定着工程の説明図である。
【図３（ａ）】プレグラウトＰＣ鋼より線の側面図である。
【図３（ｂ）】図３（ａ）のＡ−Ａ矢視断面図である。
【図４】樹脂の特性を示すグラフである。
【符号の説明】
【００３４】
１    加熱手段
２    シリコンラバーヒータ
３    バンド
４    リード線
５    接する部分
６    矢印
１０    プレグラウトＰＣ鋼より線
１１    大径リング
１２    小径リング
１３    長手方向のリング
１５    被覆
１６    支圧板と接する部分
１７、４２    矢印
２０    ＰＣ鋼より線
２１    樹脂
２３    切断
２４    長さ
３０    スリーブ
３１    くさび
３３    キャップ
４０    人手
４１    布
５０    コンクリート
５１    支圧板
６２    期間
６３    時点
【図１（ａ）】
2005240271.tif 000005
【図１（ｂ）】
2005240271.tif 000006
【図１（ｃ）】
2005240271.tif 000007
【図２（ａ）】
2005240271.tif 000008
【図２（ｂ）】
2005240271.tif 000009
【図２（ｃ）】
2005240271.tif 000010
【図２（ｄ）】
2005240271.tif 000011
【図２（ｅ）】
2005240271.tif 000012
【図２（ｆ）】
2005240271.tif 000013
【図３（ａ）】
2005240271.tif 000014
【図３（ｂ）】
2005240271.tif 000015
【図４】
2005240271.tif 000016